(57)【要約】【課題】通気部材や水切り部材等の各構成部の寸法等に相関関係を持たせることにより、十分な通気性能を得るための十分に広い通気路を確保でき、しかも、強風時における雨雪の小屋裏内等への侵入を確実に阻止することができる棟換気装置を提供することを課題とする。【解決手段】一対の通気部材１、２と、両端部に通気部材の上面を固定する山形の天板３と、通気部材下面に固定される水切り部材４、５とから成り、天板３には、外水切り７が形成され、水切り部材には邪魔板１０と内水切り１１が形成され、邪魔板の高さは通気部材の高さと同一かそれより若干高くなるように設定されると共に、外水切りの下端が、２つの邪魔板の上端を結ぶ第１基準線Ｌ１上にあるか、それよりも少し下方に延びるように設定され、内水切りの上端が、水切り部材の底面と平行であって外水切りの下端を通る第２基準線Ｌ２上にあるか、それよりも少し上方に延びるように設定される。【選択図】図２
2007327234.tif 000002
【特許請求の範囲】
【請求項１】
一対の通気部材と、断面山形を呈していてその両端部に前記一対の通気部材の上面を固定する天板と、前記一対の通気部材のそれぞれの下面に固定される水切り部材とから成り、
前記天板は、その前記通気部材固定部が外方に延長され且つ下方に折曲されて外水切りが形成され、前記水切り部材には、それぞれ外端側が直角又は直角に近い角度に上方に折曲されて邪魔板が形成されると共に、内端側が直角より小さい角度に上方に折曲されて前記外水切りと平行又は平行に近い状態にされた内水切りが形成され、
前記邪魔板の高さは前記通気部材の高さと同一かそれより若干高くなるように設定されると共に、前記各外水切りの下端が、前記２つの邪魔板の上端を結ぶ第１基準線上にあるか、それよりも少し下方に延びるように設定され、
更に、前記内水切りの上端が、前記水切り部材の底面と平行であって前記外水切りの下端を通る第２基準線上にあるか、それよりも少し上方に延びるように設定されることを特徴とする棟換気装置。
【発明の詳細な説明】
【技術分野】
【０００１】
本発明は、棟換気装置、より詳細には、家屋の棟部分における換気を、雨雪の侵入を防止しつつ行なうための棟換気装置に関するものである。
【背景技術】
【０００２】
上記通気部材としては、例えば特許第２６１０３４２号公報に記載のものが知られている（図５参照）。それは、棟方向に開口する多数の通気路２３を設けた２枚の板状換気部材２１、２２を逆Ｖ字形を呈するように連結したものである。
【０００３】
この構成の場合、強風雨時等に雨雪が通気路を通って屋根裏等に滴下することを防止するためには、各換気部材の長さをかなり長いものとしなければならないが、通気路が長くなればなるだけ通気抵抗が増し、通気量の低下を招く。また、材料コストがかかり、重量が増すために施工時及び運搬時に取り扱いにくくなり、更に、その長さ分設置スペースも多く必要となるという問題もある。
【０００４】
この問題を解決するものとして、本願出願人は、図６に示すような、山形を呈する上面板３１の幅方向両端部裏面に、それぞれ外側面Ａから内側面Ｂへと抜ける多数の通気路３４を縦横に連設した通気部材３２、３３を設置し、前記各通気部材３２、３３の下面に、そこから更に内方に延びる下面板３８を定着し、前記各下面板３８の内端部を、前記上面板３１との間に通気スペースを残して上方に折曲することにより水切り板３９を形成して成る棟換気装置を提唱している（特開２００１−３２３６１９号公報）。
【０００５】
この棟換気装置の場合は、吹き上げられてきた雨雪は、通気路３４通過の際の通気抵抗によって勢いがそがれ、その殆どが下面板３８上に落ち、また、水切り板３９に当たって落ちるため、雨雪の小屋裏側への流入が阻止される。
【０００６】
しかるに、この棟換気装置の場合は、雨雪の侵入を通気路３４を通過する際の抵抗によって阻止しようとするものであるため、当然のことながら通気路３４は、それ相応の狭さと長さとを兼ね備えたものとする必要がある。このことは反面、通気性能が落ちることを意味する。
【０００７】
【特許文献１】特許第２６１０３４２号公報
【特許文献２】特開２００１−３２３６１９号公報
【発明の開示】
【発明が解決しようとする課題】
【０００８】
上述したように従来の通気部材並びに棟換気装置の場合は、十分な通気性能を確保するために通気路を拡げた場合には、吹き上げてくる雨雪の侵入を阻止し切れなくなるおそれがあるため、通気路の拡張には限界があり、その分通気性能が低下することは止むを得ないこととされていた。また、従来の棟換気装置においては、雨雪の侵入防止のために、通気部材や水切り部材の寸法等の相関関係について考慮したものはなかった。
【０００９】
そこで本発明は、通気部材や水切り部材等の各構成部の寸法等に相関関係を持たせることにより、十分な通気性能を得るための十分に広い通気路を確保でき、しかも、強風時における雨雪の小屋裏内等への侵入を確実に阻止することができる棟換気装置を提供することを課題とする。
【課題を解決するための手段】
【００１０】
上記課題を解決するための請求項１に記載の発明は、一対の通気部材と、断面山形を呈していてその両端部に前記一対の通気部材の上面を固定する天板と、前記一対の通気部材のそれぞれの下面に固定される水切り部材とから成り、前記天板は、その前記通気部材固定部が外方に延長され且つ下方に折曲されて外水切りが形成され、前記水切り部材には、それぞれ外端側が直角又は直角に近い角度に上方に折曲されて邪魔板が形成されると共に、内端側が直角より小さい角度に上方に折曲されて前記外水切りと平行又は平行に近い状態にされた内水切りが形成され、前記邪魔板の高さは前記通気部材の高さと同一かそれより若干高くなるように設定されると共に、前記各外水切りの下端が、前記２つの邪魔板の上端を結ぶ第１基準線上にあるか、それよりも少し下方に延びるように設定され、更に、前記内水切りの上端が、前記水切り部材の底面と平行であって前記外水切りの下端を通る第２基準線上にあるか、それよりも少し上方に延びるように設定されることを特徴とする棟換気装置である。
【発明の効果】
【００１１】
本発明は上記構成であるため、構成簡易であって、通気部材や水切り部材等の各構成部の寸法等に相関関係を持たせることにより、十分な通気性能を得るための十分に広い通気路を確保でき、しかも、強風時における雨雪の小屋裏内等への侵入を確実に阻止することができる効果がある。
【発明を実施するための最良の形態】
【００１２】
本発明を実施するための最良の形態につき、添付図面に依拠して説明する。図１は本発明に係る棟換気装置の実施例の斜視図、図２はその縦断面図であり、該装置は、一対の通気部材１、２と、断面山形を呈していて、その両端部に通気部材１、２の上面を固定する天板３と、通気部材１、２のそれぞれの下面を受ける水切り部材４、５とから成る。
【００１３】
通気部材１、２は、一側面から他側面に抜ける通気路６を縦横に連設したもので、例えば、通気路６を並設したプラスチック板を多数段積層して成る（図３参照）。この種通気部材１、２は、例えば、特許第２６１０３４２号公報等に開示されている。
【００１４】
天板３は金属板を山形に折曲したもので、その幅方向（図２において左右方向）各端部に、通気部材１、２の上面を接着し、また、適宜ビス止めをする。天板３の幅方向両端は、それぞれ通気部材１、２から若干延長して下方に折曲し、外水切り７を形成する。また、天板３の長さ方向両端部も延長して下方に折曲し、端面（木端口）を閉塞するエンドカバー８を形成する。天板３の内面には、必要に応じ、長さ方向に延びる発泡ポリエチレン等のパッキン９を定着する。
【００１５】
水切り部材４、５は、それぞれ、外端側を直角又はほぼ直角に上方に折曲して形成した邪魔板１０と、内端側を直角以下に上方に折曲して形成した内水切り１１とを備える。通気部材１、２は水切り部材４、５の中央部付近に接着し、必要に応じ、水切り部材４、５の当該接着部裏面に、１ｃｍ程の厚さのパッキン１２を定着する。水きり部材４、５の底面は、設置時に屋根勾配と一致することになる。
【００１６】
各邪魔板１０の高さは、通気部材１、２の高さと同じか、それより若干高くなるように設定し、また、各外水切り７の下端が、邪魔板１０、１０の上端を結ぶ第１基準線Ｌ１上にあるか、あるいは、第１基準線Ｌ１の直近に位置するように設定する（図２に示す例では、第１基準線Ｌ１よりも少し下方に延びている。）。
【００１７】
また、内水切り１１の上端が、水切り部材４、５の底面と平行であって外水切り７の下端を通る第２基準線Ｌ２上にあるか、あるいは第２基準線Ｌ２の直近位置にくるように設定する（図２に示す例では、第２基準線Ｌ２上にある。）。
【００１８】
本発明に係る棟換気装置においては、通気部材１、２の高さ、邪魔板１０の高さ、外水切り７の下端位置、及び、内水切り１１の上端位置の間に、上記のような関係を持たせるが、これらの関係は、通気部材１、２の外端面と邪魔板１０との間の距離によって影響を受ける。
【００１９】
即ち、例えば、図２に示されるバランス関係において、距離Ｄを大きくすると、第１基準線Ｌ１は下がるので、外水切り７の下端位置を下げる必要がある一方、内水切り１１の上端位置を下げる必要がある。逆に、距離Ｄを小さくすると、第１基準線Ｌ１が上がるため、外水切り７の下端を上げると共に、内水切り１１の上端を下げる必要がある。
【００２０】
図４は、各部に上記関係を持たせるように構成することにより、雨雪の侵入が有効に防止されることを示す図である。即ち、図４の左半分は本発明に係る構成であり、右半分はそれに拠らず、外水切り７の下端が線Ｌ１’上に止まって第１基準線Ｌ１にまで届いておらず、且つ、内水切り１１の上端が線Ｌ２’上に止まって第２基準線Ｌ２にまで届いていないものである。
【００２１】
この例の右半分における交差線部分は、外水切り７の欠陥によって通気部材２内に侵入する可能性のある雨雪を示すものであり、この雨雪の棟開口部１３内への侵入は、内水切り１１の欠陥のために、押さえることができない。これに対して、本発明に基づく左半部においては、邪魔板１０と外水切り７との関係において、雨雪の通気部材１内への侵入は殆ど阻止され、一部侵入したとしても、外水切り７と内水切り１１との関係において、雨雪が棟開口１３内に入り込むことが確実に阻止される。
【００２２】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２３】
【図１】本発明に係る棟換気装置の一実施形態の斜視図である。
【図２】本発明に係る棟換気装置の一実施形態の縦断面図である。
【図３】本発明に係る棟換気装置における通気部材の詳細を示す図である。
【図４】本発明に係る棟換気装置の作用を示す図である。
【図５】従来の棟換気装置の一構成例を示す図である。
【図６】従来の棟換気装置の他の構成例を示す図である。
【符号の説明】
【００２４】
１、２    通気部材
３        天板
４、５    水切り部材
６        通気路
７        外水切り
８        エンドカバー
９        パッキン
１０        邪魔板
１１        内水切り
１２        パッキン
【図１】
2007327234.tif 000003
【図２】
2007327234.tif 000004
【図３】
2007327234.tif 000005
【図４】
2007327234.tif 000006
【図５】
2007327234.tif 000007
【図６】
2007327234.tif 000008